(57)【要約】【課題】  非接触ＩＣカードなどを備えた携帯通信端末において、非接触ＩＣカードの残高の減少が発生した場合、周囲に残高情報が漏洩することなく、ユーザのみが残高を知ることを目的とする。【解決手段】  しきい値指定部１２は、残金がいくらになった場合はユーザに通知するというような金額をしきい値として指定する。通知方法指定部１１は、しきい値指定部１２が指定したしきい値に対して、通知部の備える通知方法から、どの通知方法で通知するかを指定する。非接触ＩＣカードの残高の減少が発生した場合、判定部５は残高としきい値とを比較し、ユーザへ通知するかどうかを判定する。判定部５が通知すると判定した場合、通知部３は、指定された通知方法により、ユーザへ通知する。通知するように指定した残金と通知方法とは、ユーザのみが認識しているため、他者へ残高を漏洩することはない。【選択図】        図２
2006237729.tif 000002
【特許請求の範囲】
【請求項１】
数値を記憶する数値記憶部と、
上記数値記憶部が記憶した上記数値をユーザへ通知する通知方法を指定する通知方法指定部と、
上記通知方法指定部が指定した上記通知方法を記憶する通知方法記憶部と、
上記数値をユーザへ通知するかの判定に使用するしきい値を指定するしきい値指定部と、
上記しきい値指定部が指定した上記しきい値を記憶するしきい値記憶部と、
上記しきい値記憶部が記憶した上記しきい値と上記数値とを比較し、上記数値をユーザへ通知するかを判定する判定部と、
上記判定部が通知すると判定した場合、上記通知方法記憶部が記憶した上記通知方法により上記数値をユーザへ通知する通知部とを備えることを特徴とする数値通知装置。
【請求項２】
上記しきい値指定部は、複数のしきい値を指定し、
上記しきい値記憶部は、上記しきい値指定部が指定した上記複数のしきい値を記憶し、
上記通知方法指定部は、上記しきい値記憶部が記憶した上記複数のしきい値それぞれに対して、通知方法を指定し、
上記通知方法記憶部は、上記通知方法指定部が指定した上記通知方法を記憶し、
上記数値通知装置は、さらに、
上記複数のしきい値と上記数値とを比較し、上記数値に対応するしきい値を特定するしきい値特定部と、
上記通知方法記憶部が記憶した上記通知方法から、上記しきい値特定部が特定した上記しきい値に該当する上記通知方法を特定する通知方法特定部とを備え、
上記通知部は、上記判定部が通知すると判定した場合、上記通知方法特定部が特定した上記通知方法により上記数値をユーザへ通知することを特徴とする請求項１記載の数値通知装置。
【請求項３】
上記数値通知装置は、さらに、
上記数値記憶部が記憶した上記数値を変更する変更情報を入力する入力部と、
上記数値と上記入力部が入力した上記変更情報とから、上記数値を変更した変更後数値を算出する算出部と、
上記算出部が算出した上記変更後数値で、上記数値記憶部が記憶した上記数値を更新後数値として更新する更新部とを備え、
上記判定部は、上記更新部が上記数値を上記更新後数値として更新した場合、上記しきい値記憶部が記憶した上記しきい値と上記更新後数値とを比較し、上記更新後数値をユーザへ通知するかを判定し、
上記通知部は、上記判定部が通知すると判定した場合、上記通知方法記憶部が記憶した上記通知方法により、上記更新後数値をユーザへ通知することを特徴とする請求項１記載の数値通知装置。
【請求項４】
上記数値通知装置は、さらに、
上記数値記憶部が記憶した上記数値を変更する変更情報を入力する入力部と、
上記数値と上記入力部が入力した上記変更情報とから、上記数値を変更した変更後数値を算出する算出部とを備え、
上記判定部は、上記算出部が上記変更後数値を算出した場合、上記しきい値記憶部が記憶した上記しきい値と上記変更後数値とを比較し、上記変更後数値をユーザへ通知するかを判定し、
上記通知部は、上記判定部が通知すると判定した場合、上記通知方法記憶部が記憶した上記通知方法により上記変更後数値をユーザへ通知することを特徴とする請求項１記載の数値通知装置。
【請求項５】
上記数値通知装置は、さらに、
電灯を燈すイルミネーション部と、
音声を出力する音声出力部と、
振動を起こすバイブレーション部と、
画像と映像と文字との少なくとも１つ以上を表示する表示部とを備え、
上記通知方法は、上記イルミネーション部と上記音声出力部と上記バイブレーション部と上記表示部との少なくとも１つ以上を使用した通知方法であることを特徴とする請求項１記載の数値通知装置。
【請求項６】
数値を記憶する非接触ＩＣ（Ｉｎｔｅｇｒａｔｅｄ  Ｃｉｒｃｕｉｔ）モジュールとデータ交換する携帯通信端末において、
上記非接触ＩＣモジュールが記憶した上記数値を読込む読込み部と、
上記読込み部が読込んだ上記数値をユーザへ通知する通知方法を指定する通知方法指定部と、
上記通知方法指定部が指定した上記通知方法により上記数値をユーザへ通知する通知部とを備えることを特徴とする携帯通信端末。
【請求項７】
上記携帯通信端末は、さらに、
上記通知方法指定部が指定した上記通知方法を記憶する通知方法記憶部と、
上記数値をユーザへ通知するかの判定に使用するしきい値を指定するしきい値指定部と、
上記しきい値指定部が指定した上記しきい値を記憶するしきい値記憶部と、
上記しきい値記憶部が記憶した上記しきい値と上記数値とを比較し、上記数値をユーザへ通知するかを判定する判定部とを備え、
上記通知部は、上記判定部が通知すると判定した場合、上記通知方法記憶部が記憶した上記通知方法により上記数値をユーザへ通知することを特徴とする請求項６記載の携帯通信端末。
【請求項８】
上記しきい値指定部は、複数のしきい値を指定し、
上記しきい値記憶部は、上記しきい値指定部が指定した上記複数のしきい値を記憶し、
上記通知方法指定部は、上記しきい値記憶部が記憶した上記複数のしきい値それぞれに対して、通知方法を指定し、
上記通知方法記憶部は、上記通知方法指定部が指定した上記通知方法を記憶し、
上記携帯通信端末は、さらに、
上記複数のしきい値と上記数値とを比較し、上記数値に対応するしきい値を特定するしきい値特定部と、
上記通知方法記憶部が記憶した上記通知方法から、上記しきい値特定部が特定した上記しきい値に該当する上記通知方法を特定する通知方法特定部とを備え、
上記通知部は、上記判定部が通知すると判定した場合、上記通知方法特定部が特定した上記通知方法により上記数値をユーザへ通知することを特徴とする
請求項７記載の携帯通信端末。
【請求項９】
上記非接触ＩＣモジュールは、上記数値の変更情報を取得した場合、上記変更情報で上記数値を変更した変更後数値を算出し、算出した変更後数値で、上記数値を更新し、
上記携帯通信端末は、さらに、
上記非接触ＩＣモジュールが記憶した上記数値が更新されたかを監視し、上記数値が更新された場合、上記数値が更新されたことを上記読込み部へ伝達する第１伝達部を備え、
上記読込み部は、上記第１伝達部から上記数値が更新されたことを伝達された場合、上記非接触ＩＣモジュールが記憶した、更新された上記数値を更新後数値として読込み、
上記判定部は、上記読込み部が上記更新後数値を読込んだ場合、上記しきい値記憶部が記憶した上記しきい値と上記更新後数値とを比較し、上記更新後数値をユーザへ通知するかを判定し、
上記通知部は、上記判定部が通知すると判定した場合、上記通知方法記憶部が記憶した上記通知方法により上記更新後数値をユーザへ通知することを特徴とする請求項７記載の携帯通信端末。
【請求項１０】
上記非接触ＩＣモジュールは、上記数値の変更情報を取得した場合、上記変更情報を記憶し、
上記携帯通信端末は、さらに、
上記非接触ＩＣモジュールが上記数値の変更情報を取得したかを監視し、上記非接触ＩＣモジュールが変更情報を取得した場合、上記非接触ＩＣモジュールが変更情報を取得したことを上記読込み部へ伝達する第２伝達部を備え、
上記読込み部は、上記第２伝達部から上記非接触ＩＣモジュールが変更情報を取得したことを伝達された場合、上記非接触ＩＣモジュールが記憶した上記数値と上記変更情報とを読込み、
上記携帯通信端末は、さらに、
上記読込み部が読込んだ上記数値と上記変更情報とから、上記数値を変更した変更後数値を算出する算出部を備え、
上記判定部は、上記算出部が上記変更後数値を算出した場合、上記しきい値記憶部が記憶した上記しきい値と上記変更後数値とを比較し、上記変更後数値をユーザへ通知するかを判定し、
上記通知部は、上記判定部が通知すると判定した場合、上記通知方法記憶部が記憶した上記通知方法により上記変更後数値をユーザへ通知することを特徴とする請求項７記載の携帯通信端末。
【請求項１１】
上記非接触ＩＣモジュールは、上記数値の変更情報を取得した場合、上記変更情報で上記数値を変更した変更後数値を算出し、算出した上記変更後数値を記憶し、
上記携帯通信端末は、さらに、
上記非接触ＩＣモジュールが上記数値の変更情報を取得したかを監視し、上記非接触ＩＣモジュールが変更情報を取得した場合、上記非接触ＩＣモジュールが変更情報を取得したことを上記読込み部へ伝達する第２伝達部を備え、
上記読込み部は、上記第２伝達部から上記非接触ＩＣモジュールが変更情報を取得したことを伝達された場合、上記非接触ＩＣモジュールが記憶した上記変更後数値を読込み、
上記判定部は、上記読込み部が上記変更後数値を読込んだ場合、上記しきい値記憶部が記憶した上記しきい値と上記変更後数値とを比較し、上記変更後数値をユーザへ通知するかを判定し、
上記通知部は、上記判定部が通知すると判定した場合、上記通知方法記憶部が記憶した上記通知方法により上記変更後数値をユーザへ通知することを特徴とする請求項７記載の携帯通信端末。
【請求項１２】
上記携帯通信端末は、さらに、
上記読込み部が読込んだ上記数値を変更する変更情報を入力する入力部を備え、
上記読込み部は、上記入力部が上記変更情報を入力した場合、上記非接触ＩＣモジュールが記憶した上記数値を読込み、
上記携帯通信端末は、さらに、
上記読込み部が読込んだ上記数値と上記変更情報とから、上記数値を変更した変更後数値を算出する算出部とを備え、
上記判定部は、上記算出部が上記変更後数値を算出した場合、上記しきい値記憶部が記憶した上記しきい値と上記変更後数値とを比較し、上記変更後数値をユーザへ通知するかを判定し、
上記通知部は、上記判定部が通知すると判定した場合、上記通知方法記憶部が記憶した上記通知方法により上記変更後数値をユーザへ通知することを特徴とする請求項７記載の携帯通信端末。
【請求項１３】
上記携帯通信端末は、さらに、
電灯を燈すイルミネーション部と、
音声を出力する音声出力部と、
振動を起こすバイブレーション部と、
画像と映像と文字との少なくとも１つ以上を表示する表示部とを備え、
上記通知方法は、上記イルミネーション部と上記音声出力部と上記バイブレーション部と上記表示部との少なくとも１つ以上を使用した通知方法であることを特徴とする請求項６記載の携帯通信端末。
【請求項１４】
数値を記憶する数値記憶ステップと、
上記数値記憶ステップで記憶した上記数値をユーザへ通知する通知方法を指定する通知方法指定ステップと、
上記通知方法指定ステップで指定した上記通知方法を記憶する通知方法記憶ステップと、
上記数値をユーザへ通知するかの判定に使用するしきい値を指定するしきい値指定ステップと、
上記しきい値指定ステップで指定した上記しきい値を記憶するしきい値記憶ステップと、
上記しきい値記憶ステップで記憶した上記しきい値と上記数値とを比較し、上記数値をユーザへ通知するかを判定する判定ステップと、
上記判定ステップで通知すると判定した場合、上記通知方法記憶ステップが記憶した上記通知方法により上記数値をユーザへ通知する通知ステップとをコンピュータに実行させるための数値通知プログラム。
【請求項１５】
数値を記憶する数値記憶ステップと、
上記数値記憶ステップで記憶した上記数値をユーザへ通知する通知方法を指定する通知方法指定ステップと、
上記通知方法指定ステップで指定した上記通知方法を通知方法記憶部に記憶する通知方法記憶ステップと、
上記数値をユーザへ通知するかの判定に使用するしきい値を指定するしきい値指定ステップと、
上記しきい値指定ステップで指定した上記しきい値をしきい値記憶部に記憶するしきい値記憶ステップと、
上記しきい値記憶ステップで上記しきい値記憶部に記憶した上記しきい値と上記数値とを比較し、上記数値をユーザへ通知するかを判定する判定ステップと、
上記判定ステップで通知すると判定した場合、上記通知方法記憶ステップで通知方法記憶部に記憶した上記通知方法により上記数値をユーザへ通知する通知ステップとを備えることを特徴とする数値通知装置の数値通知方法。
【発明の詳細な説明】
【技術分野】
【０００１】
本発明は数値通知機能を備えた装置および数値通知機能を備えたプログラムおよび数値通知機能を備えた装置における数値通知方法および数値通知機能を備えた携帯通信端末に関するものである。
【背景技術】
【０００２】
従来から、非接触ＩＣ（Ｉｎｔｅｇｒａｔｅｄ  Ｃｉｒｃｕｉｔ）カードを使用した電子マネーシステムが考えられている。非接触ＩＣカードは、ＩＳＯ１４４４３等で規格化が進んでいる。非接触ＩＣカードは、一般にプラスチック製のカードにＩＣを埋め込んだものであり、磁気カードに比べて記憶容量やセキュリティの点で優れている。そのため、非接触ＩＣカードは、電子マネーを保持し、乗車券用や定期券用の自動改札、店舗端末や自動販売機などにおける代金決済に利用する事ができる。非接触ＩＣカードは、専用の機械を使用して充填を行えば、その充填分だけ残高を増加する事ができる。
【０００３】
一方、近年、この非接触ＩＣカードを、携帯電話機を代表とする携帯通信端末装置に搭載する事が進められている。非接触ＩＣカードは、電磁波などの無線によって比較的近接した相手装置と、接触することなくデータ送受信できるようになされたものである。非接触ＩＣカードを携帯通信端末装置に搭載すれば、当該携帯通信端末装置が、電波の届く範囲にある場合、ネットワークに存在する銀行などのサーバにアクセスする事により、ＩＣカード内の残金を充填することが可能である。
【特許文献１】特開２００３−１０１６７９号公報
【特許文献２】特開２００３−０６０７４８号公報
【発明の開示】
【発明が解決しようとする課題】
【０００４】
従来は、非接触ＩＣカードを携帯通信端末装置に搭載した構成において、残高の減少や増加が発生した場合、携帯通信端末装置に搭載されているＬＣＤ（ＬＩＱＵＩＤ  ＣＲＹＳＴＡＬ  ＤＩＳＰＬＡＹ）などに数字で表示する事により、利用者に残高を知らせる方法が一般的である。しかし、周囲に人が居る場合にはＬＣＤを見られる状況が考えられ、残高が漏洩する可能性があり、セキュリティ性が低いといった課題があった。
【０００５】
また、従来は、音声により残高を利用者に知らせる方法も考えられた。しかし、これも周囲の環境により残高が漏洩する確立が高く、セキュリティ性が低いといった課題があった。
【課題を解決するための手段】
【０００６】
本発明は、数値を記憶する数値記憶部と、上記数値記憶部が記憶した上記数値をユーザへ通知する通知方法を指定する通知方法指定部と、上記通知方法指定部が指定した上記通知方法を記憶する通知方法記憶部と、上記数値をユーザへ通知するかの判定に使用するしきい値を指定するしきい値指定部と、上記しきい値指定部が指定した上記しきい値を記憶するしきい値記憶部と、上記しきい値記憶部が記憶した上記しきい値と上記数値とを比較し、上記数値をユーザへ通知するかを判定する判定部と、上記判定部が通知すると判定した場合、上記通知方法記憶部が記憶した上記通知方法により上記数値をユーザへ通知する通知部とを備えることを特徴とする。
【発明の効果】
【０００７】
本発明による数値通知装置によれば、個々の利用者が、残高通知方法として独自に異なる方法を設定できる。そのため、残高の減少や増加が発生した場合には周囲に残高情報が漏洩することなく、ユーザのみが残高を知ることが可能である。
【発明を実施するための最良の形態】
【０００８】
以下、本発明を図面に示す実施の形態に基づいて説明する。
【０００９】
図１は、実施の形態における携帯通信端末と非接触ＩＣモジュール２００とのハードウェアの構成の一例を表した図を示す。携帯通信端末１００は、例えば、携帯電話機などである。携帯通信端末１００はＣＰＵ（Ｃｅｎｔｒａｌ  Ｐｒｏｃｅｓｓｉｎｇ  Ｕｎｉｔ）制御装置１０１を中心とする。ＣＰＵ制御装置１０１は、無線制御装置１０２とＬＣＤ１０４とタッチパネル１０５と電源装置１０６とメモリ１０７とバイブレータ１０８とイルミネーションライト１０９と音声入出力切り換え装置１１０と非接触ＩＣモジュール２００とを接続する。ＣＰＵ制御装置１０１は、携帯通信端末１００の機能を実現するための主要部である。ＣＰＵ制御装置１０１は、例えば、メインＣＰＵ、サブＣＰＵなどを備える。
【００１０】
無線制御装置１０２は、アンテナ１０３を使用して高周波送受信を制御する部位である。無線制御装置１０２は、例えば、直行変長期、ゲインアンプ、パワーアンプ、ミキサー、変復調機、フィルタなどを備える。
アンテナ１０３は、データの送受信を行う部位である。
【００１１】
ＬＣＤ１０４は、ユーザに対して情報を表示する部位である。ＬＣＤ１０４は、例えば、ＬＣＤドライバ、ＬＣＤ表示デバイスなどを備える。
タッチパネル１０５は、ユーザが携帯通信端末１００に対して操作情報を入力する為の部位である。タッチパネル１０５は、例えば、キーボードなどであっても構わない。
電源装置１０６は、バッテリ電源をもとに各ブロックに必要な電力を生成、供給する部位である。電源装置１０６は、例えば、電源回路、充電回路、保護回路などを備えるものである。
【００１２】
メモリ１０７は、ＣＰＵ制御装置１０１の動作に必要な情報及びユーザの固有情報などを記憶する部位である。メモリ１０７は、ＳＤＲＡＭ、Ｆｌａｓｈ  ＲＯＭなどである。
【００１３】
バイブレータ１０８は、電話やメールの着信を知らせるなどのために、ＣＰＵ制御装置１０１からの制御により振動を発生させる部位である。バイブレータ１０８は、振動のパターンを任意に設定可能である。
イルミネーションライト１０９は、電話やメールの着信を知らせることや、充電時やカメラ撮影時のインジケータなどとして、ＣＰＵ制御装置１０１からの制御により光を発生させる部位である。イルミネーションライト１０９は、光のパターン及び輝度を任意に設定可能である。
【００１４】
音声入出力切り換え装置１１０は、マイク１１２からのアナログ音声信号をデジタル信号に変換するため、および、入力されたデジタル信号をスピーカ駆動するための部位である。音声入出力切り換え装置１１０は、例えば、マイクアンプ、フィルタ、Ａ／Ｄ変換器、Ｄ／Ａ変換器、スピーカアンプなどを備えるものである。
スピーカー１１１は、アナログ音声信号を出力する部位である。
マイク１１２は、アナログ音声信号を入力する部位である。
【００１５】
非接触ＩＣモジュール２００は、ＣＰＵ制御装置１０１と接続される。非接触ＩＣモジュール２００は、内部に専用のＣＰＵ２００Ａとデータやプログラム等を保持する不揮発メモリなどであるＦｌａｓｈ  ＲＯＭなどのメモリ２００Ｂとメモリに対してデータを読み書きするリーダ／ライタ２００Ｃとを備える。非接触ＩＣモジュール２００は、無線通信を行う為の非接触ＩＣモジュールアンテナ２０１を介して非接触ＩＣモジュール２００対応の外部機器又は同等のＩＣカードとの間でデータ等の送受信を行う。非接触ＩＣモジュール２００は、ＣＰＵ制御装置１０１からの制御により内部情報を任意に読み出すことが可能である。
【００１６】
実施の形態１．
図２は、実施の形態１における携帯通信端末１００と非接触ＩＣモジュール２００との機能を示した機能ブロック図を示す。図２に基づいて、携帯通信端末１００と非接触ＩＣモジュール２００との機能を説明する。
【００１７】
図２において、携帯通信端末１００は、非接触ＩＣモジュール２００とデータの送受信を行う。携帯通信端末１００は、入力部１と記憶部２と通知部３と特定部４と判定部５と伝達部６と読込み部７とを備える。
【００１８】
入力部１は、通知方法指定部１１としきい値指定部１２とを備える。入力部１は、図１のタッチパネル１０５などである。
通知方法指定部１１は、非接触ＩＣモジュール２００の管理する数値をユーザへ通知する方法を指定する。しきい値指定部１２は、非接触ＩＣモジュール２００の管理する数値を、ユーザへ通知するか通知しないかを決定するしきい値を指定する。例えば、数値がいくつ以下になった場合は通知するなどである。
【００１９】
記憶部２は、通知方法記憶部２１としきい値記憶部２２とを備える。記憶部２は、図１のメモリ１０７などである。
通知方法記憶部２１は、通知方法指定部１１が指定した通知する方法を記憶する。しきい値記憶部２２は、しきい値指定部１２が指定したしきい値を記憶する。
【００２０】
通知部３は、イルミネーション部３１と音声出力部３２とバイブレーション部３３と表示部３４とを備える。
イルミネーション部３１は、光を発生させる。イルミネーション部３１は、点滅や光の色などによって、さまざまな光り方をすることが可能である。イルミネーション部３１は、図１のイルミネーションライト１０９などである。音声出力部３２は、音や声などを出力する。音声出力部３２は、電子音や音楽など、さまざまな出力をすることが可能である。音声出力部３２は、図１のスピーカー１１１などである。バイブレーション部３３は、振動を発生させる。バイブレーション部３３は、振動に強弱をつけることや振動時間と停止時間の長さなどにより、さまざまな振動を発生することが可能である。バイブレーション部３３は、図１のバイブレータ１０８などである。表示部３４は、情報を表示する。表示部３４は、文字表示、画像表示、映像表示などさまざまな表示が可能である。表示部３４は、図１のＬＣＤ１０４などである。
【００２１】
特定部４は、通知方法特定部４１としきい値特定部４２とを備える。特定部４は、図１のＣＰＵ制御装置１０１などである。
通知方法特定部４１は、通知方法記憶部２１が記憶した通知する方法から、使用する通知方法を特定する。しきい値特定部４２は、非接触ＩＣモジュール２００の管理する数値が、しきい値記憶部２２が記憶したしきい値のどのしきい値に該当するかを特定する。
【００２２】
判定部５は、しきい値記憶部２２が記憶したしきい値と非接触ＩＣモジュール２００が記憶した数値とから、ユーザへ数値を通知するかを判定する。判定部５は、図１のＣＰＵ制御装置１０１などである。
【００２３】
伝達部６は、非接触ＩＣモジュール２００を監視し、非接触ＩＣモジュール２００の状態を読込み部７へ伝達する。伝達部６は、第１伝達部６１を備える。
第１伝達部６１は、非接触ＩＣモジュール２００の管理する数値が更新されたかを監視する。第１伝達部６１は、非接触ＩＣモジュール２００の管理する数値が更新された場合、非接触ＩＣモジュール２００の管理する数値が更新されたことを読込み部７へ伝達する。
【００２４】
読込み部７は、第１伝達部６１から非接触ＩＣモジュール２００の管理する数値が更新されたことを伝達された場合、更新された後の非接触ＩＣモジュール２００の管理する数値を読込む。
【００２５】
非接触ＩＣモジュール２００は、数値を管理する。数値とは、例えば、残金を表す金額情報や、特定の場所などで、決済に使用できるポイントなどである。非接触ＩＣモジュール２００は、数値を使用した場合、使用した数値に基づき管理している数値を更新する。
【００２６】
図３は、携帯通信端末１００がユーザへ残金などの情報を通知する動作を表したフローチャートを示す。図３のフローチャートに基づき、携帯通信端末１００がユーザへ残金などの情報を通知する動作を説明する。ここでは、非接触ＩＣモジュール２００の管理する数値は、残金情報であるとする。非接触ＩＣモジュール２００は、記憶している残金情報を元に、決済を行うものとする。
【００２７】
しきい値指定ステップＳ１０１では、しきい値指定部１２は、しきい値を指定する。ここでは、しきい値指定部１２は、ユーザへ残金を通知するかを決定する金額値を指定する。ここで指定した金額値は、残金が金額値よりも小さい場合は、ユーザへ残金を通知することを意味するものとする。
【００２８】
しきい値記憶ステップＳ１０２では、しきい値記憶部２２は、しきい値指定部１２が指定したしきい値を記憶する。つまり、しきい値記憶部２２は、しきい値指定部１２が指定した金額値を記憶する。
【００２９】
通知方法指定ステップＳ１０３では、通知方法指定部１１は、しきい値記憶部２２が記憶したしきい値に対して、ユーザへ通知する方法を指定する。つまり、通知方法指定部１１は、しきい値指定部１２が指定した金額値に対して、通知する方法を指定する。
【００３０】
通知方法記憶ステップＳ１０４では、通知方法記憶部２１は、通知方法指定部１１が指定した通知する方法を記憶する。
【００３１】
第１伝達ステップＳ１０５では、第１伝達部６１は、非接触ＩＣモジュール２００の管理する残金が更新されたかを監視する。第１伝達部６１は、非接触ＩＣモジュール２００の管理する残金が更新された場合、非接触ＩＣモジュール２００の管理する残金が更新されたことを読込み部７へ伝達する。
【００３２】
読込みステップＳ１０６では、読込み部７は、第１伝達部６１から非接触ＩＣモジュール２００の管理する残金が更新されたことが伝達された場合、更新された後の非接触ＩＣモジュール２００の管理する残金を読込む。
【００３３】
しきい値取得ステップＳ１０７では、判定部５は、しきい値記憶部２２が記憶したしきい値を取得する。図１において、ＣＰＵ制御装置１０１は、メモリ１０７よりしきい値を取得する。
【００３４】
判定ステップＳ１０８では、判定部５は、しきい値記憶部２２から取得したしきい値と読込み部７が読込んだ残金とを比較する。判定部５は、しきい値記憶部２２から取得したしきい値と読込み部７が読込んだ残金とを比較した結果から、ユーザへ残金を通知するか判定する。判定部５は、読込み部７が読込んだ残金がしきい値記憶部２２から取得したしきい値よりも小さい場合は、ユーザへ残金を通知すると判定する。
【００３５】
通知方法特定ステップＳ１０９では、通知方法特定部４１は、通知方法記憶部２１が記憶したユーザへ通知する方法を取得する。
【００３６】
通知ステップＳ１１０では、通知部３は、通知方法特定部４１が特定したユーザへ通知する方法によって、ユーザへ残金を通知する。
【００３７】
つまり、上述した動作を図１に置き換えると以下のようになる。
まずユーザは、タッチパネル１０５を介して任意のしきい値及び通知パターンを設定する。ユーザが設定した情報はメモリ１０７に保存される。そして、非接触ＩＣモジュール２００が利用された事がＣＰＵ制御装置１０１で認識された場合、ＣＰＵ制御装置１０１は、非接触ＩＣモジュール２００のメモリ２００Ｂにアクセスし残金情報を入手する。次に、ＣＰＵ制御装置１０１は、メモリ１０７にアクセスし、ユーザにより設定されたしきい値を入手する。ＣＰＵ制御装置１０１は、残金情報とユーザの設定したしきい値とを比較し、残金情報をユーザへ通知するかを判定する。ＣＰＵ制御装置１０１は、残金情報がユーザの設定したしきい値よりも小さい場合、ユーザへ通知すると判定する。残金情報をユーザへ通知すると判定した場合には使用者が設定した通知パターンにより使用者に認知させる。
【００３８】
本実施の形態によれば、残高通知方法が個々の利用者独自で異なるため、残高の減少や増加が発生した場合には周囲に残高情報が漏洩することなく、利用者のみが残高を知ることが可能である。
【００３９】
つまり、本実施の形態をまとめると次のようになる。
【００４０】
非接触ＩＣカードモジュールを搭載した携帯通信端末装置において、残金表示以外の方法で使用者に残金情報を通知する事を特徴とした携帯通信端末装置である。
【００４１】
携帯通信端末装置は、使用者があらかじめしきい値、通知パターンを設定し、使用後の残金がしきい値を超えた場合に、設定された通知パターンにより使用者に残金情報を通知することを特徴とする。
【００４２】
実施の形態２．
実施の形態１では、しきい値の設定を１つのみした場合を説明した。しかし、しきい値は、ユーザの判断により任意に複数設定する事も可能である。設定できるしきい値の数はメモリ１０７の容量に依存する。また、通知方法も、ユーザにより任意に設定する事が可能であり、しきい値毎に異なった通知方法を設定する事が可能である。
【００４３】
実施の形態２では、２つのしきい値を設定した場合について説明する。
【００４４】
実施の形態２における携帯通信端末１００と非接触ＩＣモジュール２００との機能を示した機能ブロック図は、実施の形態１で使用した図２を用いる。
【００４５】
図４は、２つのしきい値を設定した場合の、携帯通信端末１００がユーザへ残金などの情報を通知する動作を表したフローチャートを示す。図４のフローチャートに基づき、２つのしきい値を設定した場合の、携帯通信端末１００がユーザへ数値を通知する動作を説明する。ここでは、実施の形態１と同様に、非接触ＩＣモジュール２００の管理する数値は、残金情報であるとする。非接触ＩＣモジュール２００は、記憶している残金情報を元に、決済を行うものとする。
【００４６】
しきい値指定ステップＳ２０１では、しきい値指定部１２は、しきい値を指定する。ここでは、しきい値指定部１２は、ユーザへ残金を通知するかを決定する金額値を指定する。実施の形態２では、２つのしきい値を指定する例であるため、しきい値Ａとしきい値Ｂとを指定する。ここで指定した金額値は、残金が金額値よりも小さい場合は、ユーザへ残金を通知することを意味するものとする。また、しきい値Ａ＞しきい値Ｂとする。つまり、しきい値Ａよりも残金が小さい場合、必ず残金をユーザへ通知することとなる。
【００４７】
しきい値記憶ステップＳ２０２では、しきい値記憶部２２は、しきい値指定部１２が指定したしきい値Ａとしきい値Ｂとを記憶する。
【００４８】
通知方法指定ステップＳ２０３では、通知方法指定部１１は、しきい値記憶部２２が記憶したしきい値に対して、ユーザへ通知する方法を指定する。しきい値記憶部２２が複数のしきい値を記憶している場合、通知方法指定部１１は、しきい値記憶部２２が記憶している複数のしきい値それぞれに対して、ユーザへ通知する方法を指定する。つまり、ここでは、通知方法指定部１１は、しきい値記憶部２２がしきい値Ａとしきい値Ｂとを指定したため、しきい値Ａとしきい値Ｂとのそれぞれに対してユーザへ通知する方法を指定する。
【００４９】
通知方法記憶ステップＳ２０４では、通知方法記憶部２１は、通知方法指定部１１が指定した通知する方法を記憶する。通知方法指定部１１が複数のしきい値それぞれに対して、ユーザへ通知する方法を指定した場合、通知方法記憶部２１は、通知方法指定部１１が指定したユーザへ通知する方法を、複数のしきい値それぞれに対して記憶する。ここでは、しきい値Ａとしきい値Ｂとのそれぞれに対して指定された、ユーザへ通知する方法を記憶する。
【００５０】
第１伝達ステップＳ２０５では、第１伝達部６１は、非接触ＩＣモジュール２００の管理する残金が更新されたか監視する。第１伝達部６１は、非接触ＩＣモジュール２００の管理する残金が更新された場合、非接触ＩＣモジュール２００の管理する残金が更新されたことを読込み部７へ伝達する。
【００５１】
読込みステップＳ２０６では、読込み部７は、第１伝達部６１から非接触ＩＣモジュール２００の管理する残金が更新されたことが伝達された場合、更新された後の非接触ＩＣモジュール２００の管理する残金を読込む。
【００５２】
しきい値取得ステップＳ２０７では、判定部５は、しきい値記憶部２２が記憶したしきい値Ａを取得する。
【００５３】
判定ステップＳ２０８では、判定部５は、しきい値記憶部２２から取得したしきい値Ａと読込み部７が読込んだ残金とを比較する。判定部５は、しきい値記憶部２２から取得したしきい値Ａと読込み部７が読込んだ残金とを比較した結果から、ユーザへ残金を通知するか判定する。読込み部７が読込んだ残金がしきい値記憶部２２から取得したしきい値Ａよりも小さい場合は、ユーザへ残金を通知すると判定する。
【００５４】
しきい値特定ステップＳ２０９では、しきい値特定部４２は、しきい値記憶部２２が記憶したしきい値Ｂを取得する。
しきい値特定ステップＳ２１０では、しきい値特定部４２は、しきい値記憶部２２から取得したしきい値Ｂと読込み部７が読込んだ残金とを比較する。
【００５５】
通知方法特定ステップＳ２１１では、通知方法特定部４１は、しきい値特定部４２の比較の結果が、読込み部７が読込んだ残金がしきい値記憶部２２から取得したしきい値Ｂよりも大きい場合、該当する通知方法Ａを通知方法記憶部２１から取得する。つまり、通知方法特定部４１は、しきい値Ａ＞残金＞しきい値Ｂの場合は、通知方法Ａを取得する。
【００５６】
通知方法特定ステップＳ２１２では、通知方法特定部４１は、しきい値特定部４２の比較が、読込み部７が読込んだ残金がしきい値記憶部２２から取得したしきい値Ｂよりも小さい場合、該当する通知方法Ｂを通知方法記憶部２１から取得する。つまり、通知方法特定部４１は、しきい値Ａ＞しきい値Ｂ＞残金の場合は、通知方法Ｂを取得する。
【００５７】
通知ステップＳ２１３では、通知部３は、通知方法特定部４１が特定したユーザへ通知する方法である通知方法Ａによって、ユーザへ残金を通知する。
【００５８】
通知ステップＳ２１４では、通知部３は、通知方法特定部４１が特定したユーザへ通知する方法である通知方法Ｂによって、ユーザへ残金を通知する。
【００５９】
つまり、上述した動作を図１に置き換えると以下のようになる。
まずユーザは、タッチパネル１０５を介して任意のしきい値及び通知パターンを設定する。ユーザが設定した情報はメモリ１０７に保存される。そして、非接触ＩＣモジュール２００が利用された事がＣＰＵ制御装置１０１で認識された場合、ＣＰＵ制御装置１０１は、非接触ＩＣモジュール２００のメモリ２００Ｂにアクセスし残金情報を入手する。次に、ＣＰＵ制御装置１０１は、メモリ１０７にアクセスし、ユーザにより設定されたしきい値Ａを入手する。ＣＰＵ制御装置１０１は、残金情報とユーザの設定したしきい値Ａとを比較し、残金情報をユーザへ通知するかを判定する。ここでは、残金情報がしきい値Ａよりも大きい場合には、そのまま終了する。残金情報がしきい値Ａよりも小さい場合には、続いて設定されているしきい値Ｂを入手する。ＣＰＵ制御装置１０１は、残金情報とユーザの設定したしきい値Ｂとを比較し、残金情報をユーザへ通知する方法を特定する。残金情報がしきい値Ｂよりも大きい場合には、しきい値Ａに対して設定した通知パターンＡによりユーザに認知させる。残金情報がしきい値Ｂよりも小さい場合には、しきい値Ｂに対して設定した通知パターンＢによりユーザに認知させる。
【００６０】
上記では、設定した金額値及びパターンは２つとしたが、さらにしきい値および通知方法を複数指定することも可能である。しきい値及び通知方法が複数指定された場合には、設定されたしきい値の金額の大きい順に、しきい値と残金との比較を繰り返すことで、どのしきい値に残金が該当するのかを判定することが可能である。つまり、しきい値特定ステップＳ２０９とＳ２１０とを繰り返す事により対応可能となる。
【００６１】
上述した通知パターンの一例として、図２のバイブレーション部３３による通知方法があげられる。ユーザはあらかじめ複数の残金とその残金に対応する振動パターンを設定し、非接触ＩＣモジュール２００使用後に残金毎に設定された振動パターンにより残金を知る事が可能である。この場合、振動パターンはユーザのみが知っているため、また、振動は周囲へ伝わりづらいため、残金情報が周囲に伝わることなく、ユーザのみが知る事が可能である。
【００６２】
上記について、ユーザがバイブレーション部３３による通知方法を設定した場合についての例を説明する。図５は、通知方法としきい値との組み合わせの一例を示す。ここで、しきい値は金額値である。
【００６３】
初めにユーザの残金は３００００円であったとする。ここで、ユーザが非接触ＩＣモジュール２００により１００００円使用したとする。このとき、残金は２００００円となるため、どの金額値よりも大きくなりユーザには何も通知されない。更にユーザが非接触ＩＣモジュール２００により６０００円使用したとする。このとき、残金は１４０００円となるため、設定Ａの金額値より小さくなる。そのため、ユーザが設定したパターンＡにより通知される。更にユーザが１００００円使用したとする。このとき、残金は４０００円となるため、設定Ａ、Ｂの金額値より小さくなるが、更に設定Ｃの金額値と比較されこれよりも小さいため、設定パターンＣにより通知される。
【００６４】
通知方法は、イルミネーション部３１の光り方で通知する方法や、残金情報以外のアニメーションや画像などを表示部３４に表示して通知する方法や、音声出力部３２でメロディを鼓動させ通知する方法等でも良い。
【００６５】
また、通知方法は、バイブレーション部３３やイルミネーション部３１などを組み合わせて指定可能とする構成でも良い。通知方法を複数の方法を組み合わせて設定することにより、１つ目のしきい値の場合はバイブレーション部３３が振動し、２つ目のしきい値ではイルミネーション部３１が点灯するなど、ユーザの指定範囲が広がる。そのため、通知方法の固有性が強くなり周囲へ情報が漏洩する確率を更に低くすることが可能となる。
【００６６】
バイブレーション部３３やイルミネーション部３１など、複数通知パターンを組み合わせて設定した場合についての例を説明する。図６は、通知方法としきい値との組み合わせの一例を示す。このように設定されている場合、非接触ＩＣモジュール２００の使用後の残金が２００００円以上は通知無し。非接触ＩＣモジュール２００の使用後の残金が１５０００円以上２００００円未満の場合はバイブレーション部のパターンＡにより通知する。非接触ＩＣモジュール２００の使用後の残金が１００００円以上１５０００円未満の場合はイルミネーション部３１のパターンＥにより通知する。以下同様に、非接触ＩＣモジュール２００の使用後の残高に伴って通知パターンが変更されユーザに通知される。
【００６７】
本実施の形態では、しきい値を利用者が複数かつ可変に設定することにより、各利用者固有の適切なしきい値が設定可能である。
【００６８】
つまり、本実施の形態をまとめると次のようになる。
【００６９】
上述した実施の形態１の携帯通信端末装置は、さらに、使用者が設定するしきい値は任意に複数設定する事が可能であることを特徴とする。
【００７０】
また、上述した実施の形態１の携帯通信端末装置は、使用者が設定する通知パターンはイルミネーション、音声出力、バイブ、表示部の少なくとも１つ以上であることを特徴とする。
【００７１】
また、上述した実施の形態１の携帯通信端末装置は、使用者が複数設定するしきい値毎に、通知パターンを任意に選択し設定可能であることを特徴とする。
【００７２】
実施の形態３．
実施の形態１および実施の形態２では、非接触ＩＣモジュール２００の記憶した数値が更新された場合に、更新後の数値を通知する動作を説明した。実施の形態３では、非接触ＩＣモジュール２００を使用して決済しようとしたが、残高が足りないような場合に、その不足金額を他人に知られることなく、ユーザのみに知らせる方法について説明する。
【００７３】
図７は、実施の形態３における携帯通信端末１００と非接触ＩＣモジュール２００との機能を示した機能ブロック図を示す。図７は、実施の形態１および実施の形態２で使用した図２の構成と同様の部分を含んでいる。そのため、図７が、図２と異なる部分について説明する。
【００７４】
図７が、図２と異なるのは、伝達部６と読込み部７と算出部８と判定部５と非接触ＩＣモジュール２００とについてである。
【００７５】
伝達部６は第２伝達部６２を備える。第２伝達部６２は、非接触ＩＣモジュール２００が、非接触ＩＣモジュール２００の管理する数値を更新する変更情報を取得したかを監視する。第２伝達部は、非接触ＩＣモジュール２００が変更情報を取得した場合、非接触ＩＣモジュール２００が変更情報を取得したことを読込み部７へ伝達する。例えば、非接触ＩＣモジュール２００の管理する数値が残金である場合、変更情報は、決済金額などである。また非接触ＩＣモジュール２００の管理する数値がポイント数などである場合、変更情報は、使用されるポイントなどである。
【００７６】
読込み部７は、第２伝達部６２から非接触ＩＣモジュール２００が変更情報を取得したことが伝達された場合、非接触ＩＣモジュール２００が取得した変更情報と数値とを読込む。
【００７７】
算出部８は、読込み部７が読込んだ変更情報と数値とから、変更情報と数値との差分を算出する。
【００７８】
判定部５は、読込み部７が読込んだ変更情報と数値とを比較し、数値が不足しないかを判定する。例えば、非接触ＩＣモジュール２００の管理する数値が残金である場合、変更情報である決済金額分の決済を行うと、残金が不足しないかを判定する。また、判定部５は、しきい値記憶部２２が記憶したしきい値と算出部８が算出した差分とから、ユーザへ数値を通知するか判定する。
【００７９】
非接触ＩＣモジュール２００は、数値を管理する。非接触ＩＣモジュール２００は、管理する数値の変更情報を取得した場合、取得した変更情報を記憶する。また、非接触ＩＣモジュール２００は、数値を使用した場合には、取得した変更情報に基づき管理している数値を更新する。
【００８０】
図８は、携帯通信端末１００が、非接触ＩＣモジュール２００の使用後の不足金額を、ユーザへ通知する動作を表したフローチャートを示す。図８のフローチャートに基づき、携帯通信端末１００が、非接触ＩＣモジュール２００の使用後の不足金額を、ユーザへ通知する動作を説明する。ここでは、実施の形態１と同様に、非接触ＩＣモジュール２００の管理する数値は、残金情報であるとする。非接触ＩＣモジュール２００は、記憶している残金情報を元に、決済を行うものとする。つまり、非接触ＩＣモジュール２００が取得する変更情報は、決済金額である。
【００８１】
ステップＳ３０１からステップＳ３０４までのステップはそれぞれ、ステップＳ１０１からステップＳ１０４までのステップと同様である。
【００８２】
第２伝達ステップＳ３０５では、第２伝達部６２は、非接触ＩＣモジュール２００の管理する残金を更新する決済金額を取得したかを監視する。第２伝達部は、非接触ＩＣモジュール２００が決済金額を取得した場合、非接触ＩＣモジュール２００が決済金額を取得したことを読込み部７へ伝達する。
【００８３】
変更情報読込みステップＳ３０６では、読込み部７は、伝達部６から非接触ＩＣモジュール２００が決済金額を取得したことが伝達された場合、非接触ＩＣモジュール２００が取得した決済金額を読込む。
【００８４】
残高読込みステップＳ３０７では、読込み部７は、非接触ＩＣモジュール２００から残高を読込む。
【００８５】
残高比較ステップＳ３０８では、判定部５は、読込み部７が読込んだ決済金額と残高とを比較する。
【００８６】
残高判定ステップＳ３０９では、判定部５は、読込み部７が読込んだ決済金額と残高とを比較した結果から、残高が不足しないかを判定する。判定部５は、残高が不足すると判定した場合、差分算出ステップ３１０へ進み、残高が不足しないと判定した場合、処理を終了する。
【００８７】
差分算出ステップＳ３１０では、算出部８は、読込み部７が読込んだ決済金額と残高とから不足金額を算出する。
【００８８】
しきい値取得ステップＳ３１１では、判定部５は、しきい値記憶部２２が記憶したしきい値を取得する。
【００８９】
判定ステップＳ３１２では、判定部５は、しきい値記憶部２２から取得したしきい値と算出部８が算出した不足金額とを比較する。判定部５は、しきい値記憶部２２から取得したしきい値と算出部８が算出した不足金額とを比較した結果から、ユーザへ不足金額を通知するか判定する。判定部５は、算出部８が算出した不足金額がしきい値記憶部２２から取得したしきい値よりも大きい場合は、ユーザへ不足金額を通知すると判定する。
【００９０】
通知方法特定ステップＳ３１３では、通知方法特定部４１は、通知方法記憶部２１が記憶したユーザへ通知する方法を取得する。
【００９１】
通知ステップＳ３１４では、通知部３は、通知方法特定部４１が特定したユーザへ通知する方法によって、ユーザへ残金を通知する。
【００９２】
つまり、上述した動作を図１に置き換えると以下のようになる。
まずユーザは、タッチパネル１０５を介して任意のしきい値及び通知パターンを設定する。ユーザが設定した情報はメモリ１０７に保存される。そして、非接触ＩＣモジュール２００が利用された事がＣＰＵ制御装置１０１で認識された場合、ＣＰＵ制御装置１０１は、非接触ＩＣモジュール２００のメモリ２００Ｂにアクセスし決済される金額情報を入手する。次に、ＣＰＵ制御装置１０１は、非接触ＩＣモジュール２００のメモリ２００Ｂにアクセスし残金情報を入手する。そして、ＣＰＵ制御装置１０１は、残高情報と決済される金額情報を比較し、残高情報が大きい場合はそのまま終了し、残高情報が小さい場合には残高情報と決済される金額情報の差分を算出する。つまり、差分とは不足金額である。次に、ＣＰＵ制御装置１０１は、メモリ１０７にアクセスし、ユーザにより設定されたしきい値を入手する。ＣＰＵ制御装置１０１は、不足金額とユーザの設定したしきい値とを比較し、不足金額をユーザへ通知するかを判定する。不足金額をユーザへ通知すると判定した場合には、ユーザが設定した通知パターンによりユーザに認知させる。
【００９３】
本実施の形態によれば、不足金額の通知方法が個々の利用者独自で異なるため、不足金が発生した場合に、周囲に不足金額が漏洩することなく、利用者のみが不足金額を知ることが可能である。
【００９４】
つまり、本実施の形態をまとめると次のようになる。
【００９５】
非接触ＩＣカードモジュールを搭載した携帯通信端末装置において、購買後に残高が不足する場合に使用者があらかじめ設定した通知パターンにより使用者に不足額を通知することを特徴とする携帯通信端末装置である。
【００９６】
携帯通信端末装置は、使用者があらかじめしきい値、通知パターンを設定し、不足金額がしきい値を超えた場合に、設定された通知パターンにより使用者に不足金額を通知することを特徴とする。
【００９７】
実施の形態４．
実施の形態３では、しきい値の設定を１つのみした場合を説明した。しかし、しきい値は、実施の形態２と同様に、ユーザの判断により任意に複数設定する事も可能である。設定できるしきい値の数はメモリ１０７の容量に依存する。また、通知方法も、ユーザにより任意に設定する事が可能であり、金額値の毎に異なったパターンの通知方法を設定する事が可能である。
【００９８】
実施の形態４では、不足金額を他人に知られることなく、ユーザのみに知らせる方法において、２つのしきい値を設定した場合について説明する。
【００９９】
実施の形態４における携帯通信端末１００と非接触ＩＣモジュール２００との機能を示した機能ブロック図は、実施の形態３で使用した図７を用いる。
【０１００】
図９は、２つのしきい値を設定した場合に、携帯通信端末１００が、非接触ＩＣモジュール２００の使用後の不足金額を、ユーザへ通知する動作を表したフローチャートを示す。図９のフローチャートに基づき、２つのしきい値を設定した場合に、携帯通信端末１００が、非接触ＩＣモジュール２００の使用後の不足金額を、ユーザへ通知する動作を説明する。ここでは、実施の形態１と同様に、非接触ＩＣモジュール２００の管理する数値は、残金情報であるとする。非接触ＩＣモジュール２００は、記憶している残金情報を元に、決済を行うものとする。つまり、非接触ＩＣモジュール２００が取得する変更情報は、決済金額である。
【０１０１】
ステップＳ４０１からステップＳ４０４までのステップはそれぞれ、ステップＳ２０１からステップＳ２０４までのステップと同様である。また、ステップＳ４０５からステップＳ４１０までのステップはそれぞれ、ステップＳ３０５からステップＳ３１０までのステップと同様である。
【０１０２】
しきい値取得ステップＳ４１１では、判定部５は、しきい値記憶部２２が記憶したしきい値Ａを取得する。
【０１０３】
判定ステップＳ４１２では、判定部５は、しきい値記憶部２２から取得したしきい値Ａと算出部８が算出した不足金額とを比較する。判定部５は、しきい値記憶部２２から取得したしきい値Ａと算出部８が算出した不足金額とを比較した結果から、ユーザへ残金を通知するか判定する。判定部５は、算出部８が算出した不足金額がしきい値記憶部２２から取得したしきい値Ａよりも大きい場合は、ユーザへ残金を通知すると判定する。
【０１０４】
しきい値特定ステップＳ４１３では、しきい値特定部４２は、しきい値記憶部２２が記憶したしきい値Ｂを取得する。
しきい値特定ステップＳ４１４では、しきい値特定部４２は、しきい値記憶部２２から取得したしきい値Ｂと算出部８が算出した不足金額とを比較する。
【０１０５】
通知方法特定ステップＳ４１５では、通知方法特定部４１は、しきい値特定部４２の比較の結果が、算出部８が算出した不足金額がしきい値記憶部２２から取得したしきい値Ｂよりも小さい場合、該当する通知方法Ａを通知方法記憶部２１から取得する。つまり、通知方法特定部４１は、しきい値Ａ＜不足金額＜しきい値Ｂの場合は、通知方法Ａを取得する。
【０１０６】
通知方法特定ステップＳ４１６では、通知方法特定部４１は、しきい値特定部４２の比較の結果が、算出部８が算出した不足金額がしきい値記憶部２２から取得したしきい値Ｂよりも大きい場合、該当する通知方法Ｂを通知方法記憶部２１から取得する。つまり、通知方法特定部４１は、しきい値Ａ＜しきい値Ｂ＜残金の場合は、通知方法Ｂを取得する。
【０１０７】
通知ステップＳ４１７では、通知部３は、通知方法特定部４１が特定したユーザへ通知する方法である通知方法Ａによって、ユーザへ残金を通知する。
【０１０８】
通知ステップＳ４１８では、通知部３は、通知方法特定部４１が特定したユーザへ通知する方法である通知方法Ｂによって、ユーザへ残金を通知する。
【０１０９】
つまり、上述した動作を図１に置き換えると以下のようになる。
まずユーザは、タッチパネル１０５を介して任意のしきい値及び通知パターンを設定する。ユーザが設定した情報はメモリ１０７に保存される。そして、非接触ＩＣモジュール２００が利用された事がＣＰＵ制御装置１０１で認識された場合、ＣＰＵ制御装置１０１は、非接触ＩＣモジュール２００のメモリ２００Ｂにアクセスし決済される金額情報を入手する。次に、ＣＰＵ制御装置１０１は、非接触ＩＣモジュール２００のメモリ２００Ｂにアクセスし残金情報を入手する。そして、ＣＰＵ制御装置１０１は、残高情報と決済される金額情報を比較し、残高情報が大きい場合はそのまま終了し、残高情報が小さい場合には残高情報と決済される金額情報の差分を算出する。つまり、差分とは不足金額である。次に、ＣＰＵ制御装置１０１は、メモリ１０７にアクセスし、ユーザにより設定されたしきい値Ａを入手する。ＣＰＵ制御装置１０１は、不足金額とユーザの設定したしきい値とを比較し、不足金額をユーザへ通知するかを判定する。ここでは、不足金額がしきい値Ａよりも小さい場合には、そのまま終了する。不足金額がしきい値Ａよりも大きい場合には、ＣＰＵ制御装置１０１は、続いて設定されているしきい値Ｂを入手する。ＣＰＵ制御装置１０１は、不足金額とユーザの設定したしきい値Ｂとを比較し、不足金額をユーザへ通知する方法を特定する。不足金額がしきい値Ｂよりも小さい場合には、しきい値Ａに対して設定した通知パターンＡによりユーザに認知させる。不足金額がしきい値Ｂよりも大きい場合には、しきい値Ｂに対して設定した通知パターンＢによりユーザに認知させる。
【０１１０】
上記では、設定した金額値及びパターンは２つとしたが、更にしきい値および通知方法を複数指定することも可能である。しきい値及び通知方法が複数指定された場合には、設定されたしきい値の金額の小さい順に、しきい値と不足金額との比較を繰り返すことで、どのしきい値に残金が該当するのかを判定することが可能である。つまり、しきい値特定ステップＳ４１３とＳ４１４とを繰り返す事により対応可能となる。
【０１１１】
上記について、ユーザがバイブレーション部３３による通知方法を設定した場合について例を説明する。実施の形態２と同様に図５に基づいて説明する。図５は、ユーザが設定した通知方法としきい値の組み合わせを示す。
【０１１２】
初めにユーザの残金は５０００円であったとする。ここで、ユーザが非接触ＩＣモジュール２００により２０００円使用したとする。このとき、残金は足りているため、決済可能である。よってユーザには何も通知されない。更にユーザが非接触ＩＣモジュール２００により５０００円使用したとする。このとき、不足金は２０００円となる。しかし、不足金はユーザが設定したどの金額値よりも小さいので、ユーザには何も通知されない。且つ、決済もされないため、残金は３０００円のままとなる。次にユーザが非接触ＩＣモジュール２００により２００００円使用したとする。このとき、不足金は１７０００円となる。不足金は、設定Ｂ、Ｃの金額値より大きくなるが、更に設定Ａの金額値と比較され、これよりも大きいため、設定パターンＡにより通知される。
【０１１３】
上述した通知パターンの一例として、実施の形態２に示したものと同様のものが考えられ、効果も同様である。つまり、通知方法は、バイブレーション部３３による通知する方法やイルミネーション部３１の光り方のパターンで通知する方法や、残金情報以外のアニメーションや画像などを表示部３４に表示して通知する方法や、音声出力部３２で任意のメロディを鼓動させ通知する方法などが考えられる。
また、通知方法は、バイブレーション部３３やイルミネーション部３１などを組み合わせて指定可能とする構成でも良い。通知方法を複数の方法を組み合わせて設定することにより、１つ目のしきい値の場合はバイブレーション部３３が振動し、２つ目のしきい値ではイルミネーション部３１が点灯するなど、ユーザの指定範囲が広がる。そのため、通知方法の固有性が強くなり周囲への漏洩する確率を更に低くすることが可能となる。
【０１１４】
つまり、本実施の形態では、しきい値を利用者が複数かつ可変に設定することにより、各利用者固有の適切なしきい値が設定可能である。
【０１１５】
上記では、非接触ＩＣモジュール２００が取得した変更情報と管理している数値とを、携帯通信端末１００に読込み、携帯通信端末１００にて変更後数値の算出を行った。つまり、変更情報の入力は、非接触ＩＣモジュール２００が行い、変更後数値の算出は、携帯通信端末１００が行う。
しかし、他にも次のような方法を取ることも可能である。
非接触ＩＣモジュール２００は、非接触ＩＣモジュール２００が取得した変更情報と管理している数値とから変更後数値を算出する。そして、携帯通信端末１００は、非接触ＩＣモジュール２００が算出した変更後数値を読込むという方法である。つまり、変更情報の入力と変更後数値の算出とを、非接触ＩＣモジュール２００が行う。
【０１１６】
図１０は、変更情報の入力と変更後数値の算出とを、非接触ＩＣモジュール２００が行う場合の、携帯通信端末１００と非接触ＩＣモジュール２００との機能ブロック図を示す。
図７に示した機能ブロック図と図１０に示した機能ブロック図との構成は概ね同様である。そのため、図１０については、図７と違いがある部分を説明する。
【０１１７】
図７に示した機能ブロック図と図１０に示した機能ブロック図とで違いのある部分は、非接触ＩＣモジュール２００と判定部５と読込み部７と算出部８とである。
【０１１８】
非接触ＩＣモジュール２００は、管理する数値の変更情報を取得した場合、変更後数値を算出し、変更後数値を記憶する。上述した不足金額を通知する例に当てはめると次のようになる。非接触ＩＣモジュール２００は、決済金額を取得した場合、残金と取得した決済金額とから不足金額の算出を行い、算出した不足金額を記憶する。
【０１１９】
判定部５は、変更後数値から数値の不足が発生するかどうかを判定する。上述した不足金額を通知する例に当てはめると、判定部５は、不足金額が０より大きいか否かで、不足金が発生しているかどうかを判定する。
【０１２０】
読込み部７は、第２伝達部６２から非接触ＩＣモジュール２００の管理が変更情報を取得したことが伝達された場合、非接触ＩＣモジュール２００が算出した変更後数値を読込む。上述した不足金額を通知する例に当てはめると、読込み部７は、非接触ＩＣモジュール２００が算出した不足金額を読込む。
【０１２１】
算出部８は、非接触ＩＣモジュール２００で変更後数値を算出するため、携帯通信端末１００には必要なくなる。そのため、算出部８は、図１０に示す構成には存在していない。
【０１２２】
処理は次のような流れになる。まず、非接触ＩＣモジュール２００は、決済金額を取得した場合、不足金額を算出する。次に、読込み部７は、非接触ＩＣモジュール２００が算出した不足金額を読込む。そして、判定部５は、読込み部７が読込んだ不足金額によって、不足金が発生するかどうかを判定する。判定部５は、不足金が発生すると判定した場合には、読込み部７が読込んだ不足金額としきい値記憶部２２が記憶したしきい値とから、不足金をユーザへ通知するか判定する。
【０１２３】
また、他にも次のような方法を取ることも可能である。
携帯通信端末１００は、変更情報を入力する入力部を備える。そして、携帯通信端末１００は、非接触ＩＣモジュール２００から読込んだ数値と入力部から入力された変更情報とから、携帯通信端末１００が変更後数値を算出する。つまり、変更情報の入力と変更後数値の算出とを、携帯通信端末１００が行う。
【０１２４】
図１１は、変更情報の入力と変更後数値の算出とを、携帯通信端末１００が行う場合の、携帯通信端末１００と非接触ＩＣモジュール２００との機能ブロック図を示す。
図７に示した機能ブロック図と図１１に示した機能ブロック図との構成は概ね同様である。そのため、図１１については、図７と違いがある部分を説明する。
【０１２５】
図７に示した機能ブロック図と図１１に示した機能ブロック図とで違いのある部分は、入力部１と判定部５と算出部８とである。
【０１２６】
入力部１は、変更情報入力部１３を備える。変更情報入力部１３は、非接触ＩＣモジュール２００の管理する数値を変更する変更情報を入力する。上述した不足金額を通知する例に当てはめると、変更情報入力部１３は、決済金額を入力する。
【０１２７】
判定部５は、読込み部７が非接触ＩＣモジュール２００から読込んだ数値と、変更情報入力部１３が入力した変更情報とから、数値の不足が発生するかどうかを判定する。上述した不足金額を通知する例に当てはめると、判定部５は、読込み部７が非接触ＩＣモジュール２００から読込んだ残金と、変更情報入力部１３が入力した決済金額とから、不足金が発生するかどうかを判定する。
【０１２８】
算出部８は、変更情報入力部１３が入力した変更情報と読込み部７が読込んだ数値とに基づいて、変更後数値を算出する。上述した不足金額を通知する例に当てはめると、算出部８は、変更情報入力部１３が入力した決済金額と読込み部７が読込んだ残金とに基づいて、不足金を算出する。
【０１２９】
処理は次のような流れになる。まず、変更情報入力部１３は、変更情報入力部１３は、決済金額を入力する。次に、判定部５は、読込み部７が非接触ＩＣモジュール２００から読込んだ残金と、変更情報入力部１３が入力した決済金額とから、不足金が発生するかどうかを判定する。判定部５が、不足金が発生すると判定した場合、算出部８は、変更情報入力部１３が入力した決済金額と読込み部７が読込んだ残金とに基づいて、不足金を算出する。判定部５は、算出部８が算出した不足金としきい値記憶部２２が記憶したしきい値とから、不足金をユーザへ通知するか判定する。
【０１３０】
上述したような構成を取ることにより、変更情報の入力と変更後数値を算出とは、携帯通信端末１００と非接触ＩＣモジュール２００とのどちらが行うことも可能である。
【０１３１】
つまり、本実施の形態をまとめると次のようになる。
【０１３２】
上述した実施の形態３の携帯通信端末装置は、さらに、使用者が設定するしきい値は任意に複数設定する事が可能であることを特徴とする。
【０１３３】
また、上述した実施の形態３の携帯通信端末装置は、使用者が設定する通知パターンはイルミネーション、音声出力、バイブ、表示部の少なくとも一つ以上であることを特徴とする。
【０１３４】
また、上述した実施の形態３の携帯通信端末装置は、使用者が複数設定するしきい値毎に、通知パターンを任意に選択し設定可能であることを特徴とする。
【０１３５】
実施の形態５．
次に、非接触ＩＣモジュール２００を備えていない、または、非接触ＩＣモジュール２００とデータの送受信を行わない携帯通信端末１００である数値通知装置３００において、上述した残金の通知と不足金額の通知とを実現する方法について説明する。
【０１３６】
図１２は、実施の形態５にかかる数値通知装置３００のハードウェアの構成の一例を表した図を示す。図１２は、図１のハードウェアの構成から非接触ＩＣモジュール２００を削ったものである。つまり、数値通知装置３００は、図１の携帯通信端末１００と同様である。
【０１３７】
図１３は、実施の形態５における数値通知装置３００の機能を示した機能ブロック図を示す。図１３に基づいて、数値通知装置３００の機能を説明する。図１３の数値通知装置３００は、図２の携帯通信端末１００と概ね同様である。そのため、図１３については、図２と違いがある部分について説明する。
【０１３８】
図２に示した機能ブロック図と図１３に示した機能ブロック図とで違いのある部分は、入力部１と記憶部２と伝達部６と読込み部７と算出部８とである。
【０１３９】
入力部１は、変更情報入力部１３を備える。変更情報入力部１３は、記憶部２が記憶する数値を変更する変更情報を入力する。つまり、上述した実施の形態１から実施の形態４では、非接触ＩＣモジュール２００が取得していた変更情報を入力する。入力部１は、図１２のタッチパネル１０５などである。
【０１４０】
記憶部２は、数値記憶部２３を備える。数値記憶部２３は、上述した実施の形態では、非接触ＩＣモジュール２００が管理していた数値を記憶する。記憶部２は、図１２のメモリ１０７などである。
【０１４１】
伝達部６と読込み部７とは、非接触ＩＣモジュール２００とのデータの送受信を行うための機能であるため、本実施の形態においては、数値通知装置３００には必要ない。
【０１４２】
算出部８は、変更情報入力部１３が入力した変更情報と数値記憶部２３が記憶する数値とに基づいて、変更後数値を算出する。算出部８は、図１２のＣＰＵ制御装置１０１などである。
【０１４３】
更新部９は、算出部８が算出した変更後数値で、数値記憶部２３が記憶する数値を更新する。更新部９は、図１２のＣＰＵ制御装置１０１などである。
【０１４４】
つまり、上述した実施の形態１から実施の形態４において、非接触ＩＣモジュール２００が行っていた機能をすべて数値通知装置３００に持たせている。このような構成にすることで、非接触ＩＣモジュール２００を備えていない、または、非接触ＩＣモジュール２００とデータの送受信を行わない数値通知装置３００においても、実施の形態１から実施の形態４までで説明した動作を実現することが可能である。
【産業上の利用可能性】
【０１４５】
携帯電話などに応用することで、残高の減少や増加が発生した場合に、周囲に残高情報が漏洩することなく、利用者のみが残高を知ることが可能である。
【図面の簡単な説明】
【０１４６】
【図１】実施の形態における携帯通信端末と非接触ＩＣモジュール２００とのハードウェアの構成の一例を表した図を示す。
【図２】実施の形態１における携帯通信端末１００と非接触ＩＣモジュール２００との機能を示した機能ブロック図を示す。
【図３】携帯通信端末１００がユーザへ残金などの情報を通知する動作を表したフローチャートを示す。
【図４】２つのしきい値を設定した場合の、携帯通信端末１００がユーザへ残金などの情報を通知する動作を表したフローチャートを示す。
【図５】通知方法としきい値との組み合わせの一例を示す。
【図６】通知方法としきい値との組み合わせの一例を示す。
【図７】実施の形態３における携帯通信端末１００と非接触ＩＣモジュール２００との機能を示した機能ブロック図を示す。
【図８】携帯通信端末１００が、非接触ＩＣモジュール２００の使用後の不足金額を、ユーザへ通知する動作を表したフローチャートを示す。
【図９】２つのしきい値を設定した場合に、携帯通信端末１００が、非接触ＩＣモジュール２００の使用後の不足金額を、ユーザへ通知する動作を表したフローチャートを示す。
【図１０】変更情報の入力と変更後数値の算出とを、非接触ＩＣモジュール２００が行う場合の、携帯通信端末１００と非接触ＩＣモジュール２００との機能ブロック図を示す。
【図１１】変更情報の入力と変更後数値の算出とを、携帯通信端末１００が行う場合の、携帯通信端末１００と非接触ＩＣモジュール２００との機能ブロック図を示す。
【図１２】実施の形態５にかかる数値通知装置のハードウェアの構成の一例を表した図を示す。
【図１３】実施の形態５における数値通知装置の機能を示した機能ブロック図を示す。
【符号の説明】
【０１４７】
１００  携帯通信端末、１０１  ＣＰＵ制御装置、１０２  無線制御装置、１０３  アンテナ、１０４  ＬＣＤ、１０５  タッチパネル、１０６  電源装置、１０７  メモリ、１０８  バイブレータ、１０９  イルミネーションライト、１１０  音声入出力切り換え装置、１１１  スピーカー、１１２  マイク、２００  非接触ＩＣモジュール、２００Ａ  ＣＰＵ、２００Ｂ  メモリ、２００Ｃ  リーダ／ライタ、２０１  非接触ＩＣモジュールアンテナ、１  入力部、１１  通知方法指定部、１２  しきい値指定部、１３  変更情報入力部、２  記憶部、２１  通知方法記憶部、２２  しきい値記憶部、２３  数値記憶部、３  通知部、３１  イルミネーション部、３２  音声出力部、３３  バイブレーション部、３４  表示部、４  特定部、４１  通知方法特定部、４２  しきい値特定部、５  判定部、６  伝達部、６１  第１伝達部、６２  第２伝達部、７  読込み部、８  算出部、９  更新部。
【図１】
2006237729.tif 000003
【図２】
2006237729.tif 000004
【図３】
2006237729.tif 000005
【図４】
2006237729.tif 000006
【図５】
2006237729.tif 000007
【図６】
2006237729.tif 000008
【図７】
2006237729.tif 000009
【図８】
2006237729.tif 000010
【図９】
2006237729.tif 000011
【図１０】
2006237729.tif 000012
【図１１】
2006237729.tif 000013
【図１２】
2006237729.tif 000014
【図１３】
2006237729.tif 000015